(57)【特許請求の範囲】
【請求項１】
電波測位によって現在位置を算出することができる移動端末装置であって、電波の受信を行なう信号受信手段と、該信号受信手段で得られた受信結果から現在位置を算出する位置算出手段と、目標とする位置を入力するための目標位置入力手段と、該目標位置入力手段から入力された目標位置を保持する目標位置保持手段と、前記位置算出手段で算出された移動端末装置の現在位置と前記目標位置保持手段に保持された目標位置とを比較する位置比較手段と、前記位置算出手段における位置算出の頻度を前記位置比較手段における位置比較結果に応じて制御する位置算出制御手段と、前記位置比較手段の比較結果に基づいて利用者に作用するアプリケーションと、前記位置比較手段における位置比較結果を用いて該アプリケーションの動作を制御するアプリケーション制御手段とを備えることを特徴とする移動端末装置。
【請求項２】
電波測位によって現在位置を算出することができる移動端末装置であって、電波の受信を行なう信号受信手段と、該信号受信手段で得られた受信結果から現在位置を算出する位置算出手段と、目標とする位置を入力するための目標位置入力手段と、該目標位置入力手段から入力された目標位置を保持する目標位置保持手段と、前記位置算出手段で算出された移動端末装置の現在位置と前記目標位置保持手段に保持された目標位置とを比較する位置比較手段と、前記位置算出手段における位置算出の頻度を前記位置比較手段における位置比較結果に応じて制御する位置算出制御手段と、前記位置比較手段の比較結果に基づいて移動端末装置を振動させる振動発生手段と、前記位置比較手段における位置比較結果を用いて該振動発生手段の振動の発生と停止を制御する振動制御手段とを備えることを特徴とする移動端末装置。
【請求項３】
電波測位によって現在位置を算出することができる移動端末装置であって、電波の受信を行なう信号受信手段と、該信号受信手段で得られた受信結果から現在位置を算出する位置算出手段と、目標とする位置を入力するための目標位置入力手段と、該目標位置入力手段から入力された目標位置を保持する目標位置保持手段と、前記位置算出手段で算出された移動端末装置の現在位置と前記目標位置保持手段に保持された目標位置とを比較する位置比較手段と、前記位置算出手段における位置算出の頻度を前記位置比較手段における位置比較結果に応じて制御する位置算出制御手段と、前記位置比較手段の比較結果に基づいて移動端末装置から警告音を発生する警告音発生手段と、前記位置比較手段における位置比較結果を用いて該警告音発生手段の警告音の発生と停止を制御する警告音制御手段とを備えることを特徴とする移動端末装置。
【請求項４】
電波測位によって現在位置を算出することができる移動端末装置であって、電波の受信を行なう信号受信手段と、該信号受信手段で得られた受信結果から現在位置を算出する位置算出手段と、目標とする位置を入力するための目標位置入力手段と、該目標位置入力手段から入力された目標位置を保持する目標位置保持手段と、前記位置算出手段で算出された移動端末装置の現在位置と前記目標位置保持手段に保持された目標位置とを比較する位置比較手段と、前記位置算出手段における位置算出の頻度を前記位置比較手段における位置比較結果に応じて制御する位置算出制御手段と、前記位置比較手段の比較結果に基づいて電話を発信する電話発信手段と、該電話発信手段で電話発信を行なう際に使用する発信先の電話番号を保持する電話番号保持手段と、電話発信後に送信する発信内容を保持するための発信内容保持手段と、前記位置比較手段における位置比較結果を用いて前記電話発信手段の電話発信を制御するアプリケーション制御手段とを備えることを特徴とする移動端末装置。
【請求項５】
電波測位によって現在位置を算出することができる移動端末装置であって、電波の受信を行なう信号受信手段と、該信号受信手段で得られた受信結果から現在位置を算出する位置算出手段と、目標とする位置を入力するための目標位置入力手段と、該目標位置入力手段から入力された目標位置を保持する目標位置保持手段と、前記位置算出手段で算出された移動端末装置の現在位置と前記目標位置保持手段に保持された目標位置とを比較する位置比較手段と、前記位置算出手段における位置算出の頻度を前記位置比較手段における位置比較結果に応じて制御する位置算出制御手段と、前記位置比較手段の比較結果に基づいて移動端末装置に電話着信があった場合の呼出音のオンオフを行なう呼出音オンオフ手段と、前記位置比較手段における位置比較結果を用いて該呼出音オンオフ手段のオンオフ動作を制御する呼出音制御手段とを備えることを特徴とする移動端末装置。
【請求項６】
電波測位によって現在位置を算出することができる移動端末装置であって、電波の受信を行なう信号受信手段と、該信号受信手段で得られた受信結果から現在位置を算出する位置算出手段と、目標とする位置を入力するための目標位置入力手段と、該目標位置入力手段から入力された目標位置を保持する目標位置保持手段と、前記位置算出手段で算出された移動端末装置の現在位置と前記目標位置保持手段に保持された目標位置とを比較する位置比較手段と、前記位置算出手段における位置算出の頻度を前記位置比較手段における位置比較結果に応じて制御する位置算出制御手段と、前記位置比較手段の比較結果に基づいて移動端末装置への電源供給のオンオフを行なう電源供給オンオフ手段と、前記位置比較手段における位置比較結果を用いて該電源供給オンオフ手段のオンオフ動作を制御する電源制御手段とを備えることを特徴とする移動端末装置。
【請求項７】
請求の範囲第１項〜第６項のいずれか一に記載の移動端末装置において、位置算出制御手段は、前記位置比較手段における位置比較結果が前記現在位置と前記目標位置が近いことを表す場合は前記位置算出制御手段は前記位置算出手段における位置算出の頻度を高くする制御を行ない、前記位置比較手段における位置比較結果が前記現在位置と前記目標位置が遠いことを表す場合は前記位置算出制御手段は前記位置算出手段における位置算出の頻度を下げる制御を行なうことを特徴とする移動端末装置。
【請求項８】
請求の範囲第１項〜第６項のいずれか一に記載の移動端末装置において、前記位置算出制御手段は、前記位置比較手段における位置比較結果の履歴を使用し、移動端末装置が前記目標位置に高速で近付いている場合は前記位置算出手段における位置算出の頻度を高くする制御を行ない、該移動端末装置が前記目標位置に低速で近付いている場合は前記位置算出手段における位置算出の頻度を下げる制御を行なうことを特徴とする移動端末装置。
【発明の詳細な説明】
技術分野
本発明は、利用者に位置情報を用いたサービスを提供する移動端末装置に関する。
背景技術
移動端末装置の現在位置を測定する方法として、幾つかの方法が開発されている。例えば、ＧＰＳ（Ｇｌｏｂａｌ  Ｐｏｓｉｔｉｏｎｉｎｇ  Ｓｙｓｔｅｍ）を用いた方法が既にカーナビゲーション等で実用化されている。また、移動通信システムにおいて、基地局から送信された電波を移動端末装置で受信し、前記電波の伝搬時間を用いて現在位置を算出する方法（例えば特開平７−１８１２４２号公報参照）も提案されている。
上記方法で算出された移動端末装置の現在位置を用いたサービスとして、ナビゲーションにおける地図表示がある（例えば特開平１−１７３８１７号公報参照）。目的地に近づく程に地図の縮尺が変わるとともに、目的地への道順が選択表示される。
なお、位置の測定は行なわないが、乗り越しを防止するために、駅に設置した基地局のゾーンに入ったことを識別記号の照合から検知し、それによって目的地への到着を報知するようにした特開平９−１３０８５９もある。
発明の開示
本発明者は、現在位置を知りそれに目的地等の目標位置を対応させる機能を移動端末装置に付加することによって種々のサービス提供が可能となることについて考察した。実現可能と考えられるサービスを課題として列挙すると以下のようである。
第一の課題として、例えば移動端末装置の保持者が電車やバスに乗車の際、下車すべき駅や停留所を予め設定しておき、電車やバスがその駅や停留所に近付いた場合に保持者にその事実を通知することで、電車やバス等で居眠りや車内アナウンスの聞き逃しによる乗り過ごしを防止することが挙げられる。
第二の課題として、例えば予め移動端末装置に池や交通量の多い道路等の危険な場所を登録しておき、徘徊老人や子供に移動端末装置を保持させ、徘徊老人や子供がそのような危険な場所に近付いた場合に家にいる保護者等にその事実を伝え、保護者等が保護に向かうことで危険を回避することが挙げられる。
第三の課題として、例えば予め移動端末装置に自宅の位置情報を登録しておき、徘徊老人や子供に移動端末装置を保持させ、徘徊老人や子供が自宅から予め設定した距離以上離れた場合に、家にいる保護者等にその事実と徘徊老人や子供の現在位置を伝え、保護者等が保護に向かうことが挙げられる。
第四の課題として、移動端末装置が携帯電話である場合、例えば病院など携帯電話の使用が禁止されている場所や、映画館など携帯電話の呼出音をオフにすべき場所を予め携帯電話に登録しておき、携帯電話の保持者が上記登録場所に入った場合に携帯電話の電源や呼出音を自動的にオフにし、上記登録場所から離れた場合に電源や呼出音を自動的にオンとすることが挙げられる。
これらの課題（サービス）は、移動端末装置の保持者やその保護者或いは装置自体に対して目的に応じた作用を与えることによって実現する。そのためには、作用に対応するアプリケーションを移動端末装置に備え、予め設定された目標位置と移動端末装置の現在位置とに応じてアプリケーションを制御する必要がある。しかし、従来技術においては、現在位置と目標位置とに係って単に表示が行なわれるのみで、上記のようなアプリケーション制御は実現されていない。
本発明の目的は、上記の課題を解決し、現在位置と目標位置との関係を指標にして利用者や装置に直接作用するアプリケーションを備えた位置情報を利用する移動端末装置を提供することにある。
即ち、上記課題を解決するために本発明の移動端末装置は、電波の受信を行なう信号受信手段と、該信号受信手段で得られた受信結果から移動端末装置の現在位置を算出する位置算出手段と、目標とする位置を入力するための目標位置入力手段と、該目標位置入力手段から入力された目標位置を保持する目標位置保持手段と、位置算出手段で算出された移動端末装置の現在位置と目標位置保持手段に保持された目標位置とを比較する位置比較手段と、該位置比較手段の比較結果に基づいて利用者に作用するアプリケーションと、比較手段における位置比較結果を用いて該アプリケーションを制御するアプリケーション制御手段とを備える。
上記課題を解決するために本発明の別の移動端末装置は、上記のアプリケーションが移動端末装置を振動させる振動の発生と停止を行なう振動発生手段であり、上記のアプリケーション制御手段が該振動発生手段の振動の発生と停止の制御を行なう振動制御手段であることを特徴とする。
上記課題を解決するために本発明の更に別の移動端末装置は、上記のアプリケーションが移動端末装置からの警告音の発生と停止を実行する警告音発生手段であり、上記のアプリケーション制御手段が該警告音発生手段の警告音の発生と停止の制御を行なう警告音制御手段であることを特徴とする。
上記課題を解決するために本発明の更に別の移動端末装置は、上記のアプリケーションが、電話を発信する電話発信手段と、該電話発信手段で電話発信を行う際に使用する発信先の電話番号を保持する電話番号保持手段と、電話発信後に送信する発信内容を保持するための発信内容保持手段とを有し、上記のアプリケーション制御手段が前記電話発信手段の電話発信を制御する電話発信制御手段であることを特徴とする。
上記課題を解決するために本発明の更に別の移動端末装置は、上記のアプリケーションが移動端末装置に電話着信があった場合に呼出音のオンオフを行なう呼出音オンオフ手段であり、上記のアプリケーション制御手段が該呼出音オンオフ手段のオンオフ動作を制御する呼出音制御手段であることを特徴とする。
上記課題を解決するために本発明の更に別の移動端末装置は、上記のアプリケーションが移動端末装置への電源供給のオンオフを行なう電源供給オンオフ手段であり、上記のアプリケーション制御手段が該電源供給オンオフ手段のオンオフ動作を制御する電源制御手段であることを特徴とする。
発明を実施するための最良の形態
以下、本発明に係る移動端末装置を図面に示した実施形態を参照して更に詳細に説明する。なお、第１図〜第１０図における同一の記号は、同一物又は類似物を表示するものとする。
本発明による移動端末の実施形態の構成を第１図に示す。第１図において、１０１は、アンテナ１００で受信された受信信号を処理する信号受信部、１０２は、信号受信部１０１が処理した信号から位置計算に必要な情報を抽出し、移動端末の現在位置の計算を行なう位置算出部、１０４は、目標位置を入力するためのインタフェースとなる目標位置入力部、１０５は、目標位置入力部１０４から入力された目標位置のデータを蓄える目標位置保持部、１０３は、位置算出部１０２から入力された移動端末の位置算出結果と目標位置保持部１０５から入力される目標位置とを比較する位置比較部、１０７は、位置算出部１０２の位置算出の実行及び休止を制御する位置算出制御部、２００は、所定のサービスを実行するアプリケーション、１０６は、アプリケーション２００の動作を制御するアプリケーション制御部である。
以上の本実施形態では、目標位置入力部１０４としてキーボードが用いられるが、その他にバーコード（例えば特開平６−１０３４９８号公報参照）、音声、画像等のインタフェースを用いることができる。また、位置比較部１０３が出力する比較結果１２０としては、例えば上記位置算出結果と上記目標位置との間の距離が利用される。更に、アプリケーション制御部１０６は、比較結果１２０を入力してアプリケーション２００を制御するためのアプリケーション制御信号１２１を生成する。
ここで、比較結果１２０として、上記位置算出結果と上記目標位置との間の距離を用いた場合の、アプリケーション制御部１０６の動作例を第２図及び第３図に示す。
第２図では、予め設定された距離閾値より比較結果１２０が小さくなった場合、アプリケーション制御部１０６はアプリケーション制御信号１２１を送出してアプリケーション２００を起動し、前記距離閾値より比較結果１２０が大きい場合はアプリケーション２００を起動せずに次回判定の待ち状態とする。即ち、第２図では移動端末の現在位置が目標位置に近付いた場合にアプリケーション２００が起動される。
一方、第３図では予め設定された距離閾値より比較結果１２０が大きくなった場合、アプリケーション制御部１０６はアプリケーション制御信号１２１を送出してアプリケーション２００を起動する。即ち、第３図では移動端末の現在位置が目標位置から遠ざかった場合にアプリケーション２００が起動される。
アプリケーション２００は、アプリケーション制御部１０６から入力されるアプリケーション制御信号１２１によって制御され、移動端末の利用者及びその保護者等の第三者にサービスを提供する。所定のサービスを実行するためのアプリケーションの例を第４図〜第１０図に示す。
第４図に示すアプリケーション２００の第一例は、移動端末に振動を与える振動発生器２０１を備える。例えば移動端末が目標位置に近付いた場合に、振動発生器２０１はアプリケーション制御信号１２１を受けて振動を発生し、目標位置に近付いたことを移動端末の利用者に通知する。振動発生器２０１は例えば小型モータ等で構成することができる。
第５図に示すアプリケーション２００の第二例は、警告音発生器２０２を備える。例えば移動端末が目標位置に近付いた場合に、警告音発生器２０２はアプリケーション制御信号１２１を受けて移動端末から警告音を発し、これにより、目標位置に近付いたことを移動端末の利用者に通知する。警告音発生器２０２が生成する警告音としては、例えば音声メッセージやアラーム音等を使用することができる。
第６図に示すアプリケーション２００の第三例は、電話発信部２１０、電話番号保持部２１１及び発信内容保持部２１３を備える。アプリケーション制御信号１２１を受けてアプリケーション２００が起動されると、電話発信部２１０は予め電話番号保持部２１１に登録された電話番号２１２に電話をかけ、予め発信内容保持部２１３に登録された発信内容２１４を送信する。発信内容保持部２１３に登録する発信内容２１４としては例えば音声メッセージを使用し、メッセージ内容としては例えば移動端末の保持者が目標位置に近付いたことを示すものを用いれば良い。
第７図に示すアプリケーション２００の第四例は、移動端末の呼出音をオフとする回路２０３（例えばスイッチ回路）を備え、アプリケーション制御信号１２１に従って移動端末に着信があった場合に通常は鳴らす呼出音の発生を停止させる。逆に、第８図に示すアプリケーション２００の第五例は、移動端末の呼出音をオンとする回路２０４（例えばスイッチ回路）を備え、アプリケーション制御信号１２１に従って移動端末に着信があった場合に通常通り呼出音が鳴るようにする。
第９図に示すアプリケーション２００の第六例は、移動端末の電源供給をオフとする回路２０５（例えばスイッチ回路）を備え、アプリケーション制御信号１２１に従って移動端末を電源オフ状態とする。逆に、第１０図に示すアプリケーション２００の第七例は、移動端末の電源供給をオンとする回路２０６（例えばスイッチ回路）を備え、アプリケーション制御信号１２１に従って移動端末を電源オン状態とする。
次に、第１図に示した位置算出制御部１０７について説明する。位置算出制御部１０７は、位置比較部１０３から入力される比較結果１２０を用いて、位置算出部１０２における位置算出の実行あるいは休止を適切に制御し、移動端末の消費電力の低減を実現する。
位置算出制御部１０７は、例えば移動端末が目標位置から遠い場合は位置算出の頻度を下げ、逆に移動端末が目標位置に近い場合は位置算出の頻度を上げるような制御を行なう。
また、他の制御の例として、位置算出制御部１０７は、位置比較部１０３から入力される比較結果１２０の履歴を用い、移動端末が目標位置に急速に近付いている場合は、移動端末の移動速度が速いと判断し位置算出の頻度を上げ、逆に移動端末が目標位置にゆっくりと近付いている場合は、移動速度が遅いと判断し位置算出の頻度を下げるような制御を行っても良い。
更に、位置算出制御部１０７は、上記の制御を行なわず、位置算出部１２０に常に位置算出を実行させる制御を行っても良い。
以上、本発明により、移動端末装置の保持者の現在位置と目標位置に応じてアプリケーションが制御され、移動端末装置の保持者あるいは第三者にサービスを提供することが可能となる。
具体的には、目標位置として下車すべき駅や停留所を設定しておき、アプリケーションとしてバイブレーションや警告音を用いることで、電車やバスの乗り過ごしを防止することができる。
また、目標位置として危険な場所や自宅を登録しておいた移動端末を徘徊老人や子供に保持させ、アプリケーションとして電話発信を用いることで、徘徊老人や子供が危険な場所に近付いた場合や、予め設定した距離以上に家から離れた場合に保護者等の第三者にその事実を伝え、保護者等が保護に向かうことで危険を回避することができる。
更に、目標位置として病院や映画館等を設定し、アプリケーションとして移動端末装置の電源オン／オフや呼出音のオン／オフを用いることで、他人に迷惑をかける場所での移動端末装置の機能制限を自動的に行なうことができる。
産業上の利用可能性
以上のように、本発明に係る移動端末装置は、無線を利用して現在位置を測定するシステムに適用するものであり、携帯電話等の移動無線通信システムにも適用可能である。
【図面の簡単な説明】
第１図は、本発明に係る移動端末装置の最良の実施の形態を説明するための構成図であり、第２図は、アプリケーション制御部の動作の第一例を説明するためのフローチャート図であり、第３図は、アプリケーション制御部の動作の第二例を説明するためのフローチャート図であり、第４図は、アプリケーションの第一例を説明するための構成図であり、第５図は、アプリケーションの第二例を説明するための構成図であり、第６図は、アプリケーションの第三例を説明するための構成図であり、第７図は、アプリケーションの第四例を説明するための構成図であり、第８図は、アプリケーションの第五例を説明するための構成図であり、第９図は、アプリケーションの第六例を説明するための構成図であり、第１０図は、アプリケーションの第七例を説明するための構成図である。
【図１】
0003869724.tif 000002
【図２】
0003869724.tif 000003
【図３】
0003869724.tif 000004
【図４】
0003869724.tif 000005
【図５】
0003869724.tif 000006
【図６】
0003869724.tif 000007
【図７】
0003869724.tif 000008
【図８】
0003869724.tif 000009
【図９】
0003869724.tif 000010
【図１０】
0003869724.tif 000011